(57)【特許請求の範囲】
【請求項１】
高層ビルごみ輸送装置の垂直輸送管内に、ごみを収容した状態で投入されるごみ容器であって、
その口径が前記垂直輸送管の内径より僅かに小径な軟質性筒状シート材から構成された外筒と、
その口径が前記外筒の口径と同径若しくはわずかに小径な軟質性筒状シート材から構成された内筒と、を備え、
前記内筒は、その下端が閉止されて前記ごみを収容可能であるとともに、その上端が開放しており、かつ前記ごみを収容してからその上端を閉止することにより前記ごみを密閉可能であり、
前記外筒は、その下端の一部が前記内筒の下端に接合されているとともに、その下端の残部には少なくとも２つの開口が形成されており、かつその上端が開放しており、さらにその上端は前記内筒に前記ごみを収容してから前記内筒の上端と一緒にあるいは別々に閉止可能であり、
前記開口は、この容器が前記ごみを収容した状態で前記垂直輸送管内に投入されて落下するときに、前記内筒と前記外筒との間に空気を流入させて前記外筒を膨らませ、前記外筒と前記垂直輸送管の内壁との間の間隙を小さくするように形成されていることを特徴とする高層ビルごみ輸送装置のごみ容器。
【請求項２】
前記開口は、前記外筒を円形に拡げたときに互いに対向する位置に形成されていることを特徴とする請求項１に記載した高層ビルごみ輸送装置のごみ容器。
【請求項３】
前記開口は、前記外筒の下端の残部を斜めに切断することにより形成されていることを特徴とする請求項１または２に記載した高層ビルごみ輸送装置のごみ容器。
【請求項４】
高層ビルごみ輸送装置の垂直輸送管内に、ごみを収容した状態で投入されるごみ容器であって、
その口径が前記垂直輸送管の内径より僅かに小径な軟質性筒状シート材から構成された外筒と、
その口径が前記外筒の口径と同径若しくはわずかに小径な軟質性筒状シート材から構成された内筒と、を備え、
前記内筒は、その下端が閉止されて前記ごみを収容可能であるとともに、その上端が開放しており、かつ前記ごみを収容してからその上端を閉止することにより前記ごみを密閉可能であり、
前記外筒は、その下端が開放しているとともに、その下部には前記内筒の下部に接合された接合部と前記内筒の下部に接合されていない間隙部とが周方向に沿って交互に形成されており、かつその上端が開放しており、さらにその上端は前記内筒に前記ごみを収容してから前記内筒の上端と一緒にあるいは別々に閉止可能であり、
前記間隙部は、この容器が前記ごみを収容した状態で前記垂直輸送管内に投入されて落下するときに、前記内筒と前記外筒との間に空気を流入させて前記外筒を膨らませ、前記外筒と前記垂直輸送管の内壁との間の間隙を小さくするように形成されていることを特徴とする高層ビルごみ輸送装置のごみ容器。
【請求項５】
前記接合部は、周方向に沿って一定の間隔で形成されていることを特徴とする請求項４に記載した高層ビルごみ輸送装置のごみ容器。
【発明の詳細な説明】
【０００１】
【産業上の利用分野】
本発明は、高層ビルのごみ輸送装置用のごみ容器に係り、特に高層ビルの垂直輸送管に投入され、その垂直輸送管内をほぼ一定の落下速度で落下するように構成された高層ビルのごみ輸送装置用のごみ容器に関する。
【０００２】
【従来の技術】
高層ビルの各階から収集されたごみを地上に搬送する高層ビルのごみ輸送装置は、種々のタイプのものが開発されている。
【０００３】
図８は例えば特開平５−３２３０２号公報に記載された代表的な高層ビルのごみ輸送装置を示したもので、高層ビル１には各階を貫通する垂直輸送管２が設置され、この垂直輸送管２には各階にごみ投入装置３が付設されている。垂直輸送管２の下端には開閉可能な底蓋４が取り付けられ、この底蓋４は開閉シリンダ５によって開閉される。底蓋４の上方には、垂直輸送管２から空気を調整可能に排出する空気排出装置６と、垂直輸送管２内の圧力を検出する圧力検出装置７とがそれぞれ設置されている。また、垂直輸送管２は底蓋４の下方においてシュート８に連通され、このシュート８の下端には貯留槽９が接続され、ごみはこの貯留槽９に溜められた後に塵芥収集車１０に積込まれる。
【０００４】
ごみは、図９に示したように合成樹脂シート（ポリシート）等の軟質性円筒状のごみ容器１１に収容されてごみカート１２によってごみ投入装置３まで運ばれ、このごみ投入装置３から垂直輸送管２に投入される。ごみ容器１１の外径は、ごみが十分に収容された時に垂直輸送管２の内径よりも僅かに小くなるように定められており、従って、ごみ容器１１が垂直輸送管２内を落下した時に、ごみ容器１１と垂直輸送管２との間の間隙に比較的大きな空気抵抗が発生し、この空気抵抗によってごみ容器１１は所定の速度で落下する。
【０００５】
空気排出装置６と圧力検出装置７は、ごみ容器１１の落下速度をごみ容器１１の重量に無関係にほぼ一定に設定するためのものである。投入されたごみ容器１１が比較的軽量であるため垂直輸送管２の下部の圧力があまり高くない時には、その圧力を検出した圧力検出装置７の検出出力に基づき、空気排出装置６はごみ容器１１の下方の空気を比較的多量に排出して、ごみ容器１１の落下速度を加速する。他方、投入されたごみ容器１１が比較的重いため垂直輸送管２の下部の圧力が高い時には、その圧力を検出した圧力検出装置７の検出出力に基づき、空気排出装置６はごみ容器１１の下方の空気を比較的少量だけ排出して、ごみ容器１１の落下速度を減速する。こうして、投入されたごみ容器１１はその重量に無関係に、常にほぼ一定の速度でもって垂直輸送管２内を落下して底蓋４に軟着地する。
【０００６】
以上のように、上述の高層ビルのごみ輸送装置は、図１０に示されたようにごみ１３がある大きさ以下でかつほぼ均一に十分な量だけごみ容器１１に積込まれている場合には、ごみ容器１１の外径が垂直輸送管２の内径よりも僅かに小くなる。これによってごみ容器１１と垂直輸送管２との間の間隙がほぼ一定の小面積となり、この間隙を通過する空気抵抗が比較的大きくなるため、空気排出装置６の作用によってごみ容器１１をその重量に無関係にほぼ一定の速度で落下させることができる。
【０００７】
しかしながら、ごみ容器１１に収容されるごみが、束ねた新聞紙のような直方体などの非円筒形のブロックである場合には、ごみ容器１１は円筒状に形成されず、垂直輸送管２内の落下の際に、ごみ容器１１と垂直輸送管２の内壁との間隙がかなり大きくなり、この間隙を通過する空気の抵抗がごみ容器１１とバランスする程大きくならないため、ごみ容器１１の落下速度を制御することができず、ごみ容器１１は急降下し底蓋４に激突し、破裂し内部のごみが周囲に飛散するといった問題が発生する。
【０００８】
そこで、このような問題を解決するために、特開平４−３０３３０３号公報及び特開平５−３２３０２号公報には、図１１に示したように複数の空気孔１４が穿孔されたごみ容器１１が開示されている。このごみ容器１１は束ねた新聞紙のような非円筒形のブロックのごみ１３を収容し、垂直輸送管２を落下する時に、空気が矢印で示したように空気穴１４からごみ容器１１の内部に流入し、ごみ容器１１を外側に膨らましてちょうど落下傘のような形状にする。これによって、ごみ容器１１と垂直輸送管２の内壁との間隙がほぼ一定の小面積になり、ごみ容器１１の重量に拮抗する空気抵抗が発生し、ごみ容器１１の落下速度を減速する。こうして、空気孔１４が穿孔されたごみ容器１１は、非円筒形状のごみ１３を収容した場合にも、垂直輸送管内を所定の低速度で落下し、底蓋に軟着陸する。
【０００９】
更に、特開平５−３２３０２号公報には、ごみ容器内のごみの量が非常に少ない場合には、図１２に示したように空気孔１４を有するごみ容器１１の内部上部にごみ容器１１の内径よりもやや小径の円板体１５を挿入することが開示されている。この円板体１５の挿入によって、ごみの量が非常に少ない場合にも、ごみ容器１１は空気孔１４から流入した空気によって確実に外方に膨らむことができる。
【００１０】
【発明が解決しようとする課題】
ところが、上述の空気穴が穿孔されたごみ容器は、水分を多量に含有するごみ、例えば厨房などから発生した厨芥を収容した場合には、空気孔から汚水が漏出し、垂直輸送管の内部を汚染するといった問題に加え、収容するごみの量が少ない場合には円板体を内部に挿入しなければならないといった煩わしい作業を必要とする。
【００１１】
そこで、本発明の目的は、ごみの量が少量であっても、またごみの形状が非円筒状であっても、垂直輸送管内のごみ容器の落下速度を確実に低速度に制御することができ、かつ水分を多量に含有するごみも汚水の漏出なしに収容することができる高層ビルのごみ輸送装置用のごみ容器を提供することにある。
【００１２】
【課題を解決するための手段】
この目的を達成するために請求項１に記載された発明は、高層ビルごみ輸送装置の垂直輸送管内に、ごみを収容した状態で投入されるごみ容器であって、
その口径が前記垂直輸送管の内径より僅かに小径な軟質性筒状シート材から構成された外筒と、
その口径が前記外筒の口径と同径若しくはわずかに小径な軟質性筒状シート材から構成された内筒と、を備え、
前記内筒は、その下端が閉止されて前記ごみを収容可能であるとともに、その上端が開放しており、かつ前記ごみを収容してからその上端を閉止することにより前記ごみを密閉可能であり、
前記外筒は、その下端の一部が前記内筒の下端に接合されているとともに、その下端の残部には２つの開口が形成されており、かつその上端が開放しており、さらにその上端は前記内筒に前記ごみを収容してから前記内筒の上端と一緒にあるいは別々に閉止可能であり、
前記開口は、この容器が前記ごみを収容した状態で前記垂直輸送管内に投入されて落下するときに、前記内筒と前記外筒との間に空気を流入させて前記外筒を膨らませ、前記外筒と前記垂直輸送管の内壁との間の間隙を小さくするように形成されていることを特徴としている。
この構成にあっては、上記外筒の下端は、上記空気流入用の間隙として作用する少なくとも２個の開口を有し、上記開口を除く上記外筒の下端と上記内筒の下端とは、互いに接合されていることが望ましい。
また、前記開口は、前記外筒の下端の残部を斜めに切断することにより形成されることが望ましい。
【００１３】
請求項４に記載された発明は、高層ビルごみ輸送装置の垂直輸送管内に、ごみを収容した状態で投入されるごみ容器であって、
その口径が前記垂直輸送管の内径より僅かに小径な軟質性筒状シート材から構成された外筒と、
その口径が前記外筒の口径と同径若しくはわずかに小径な軟質性筒状シート材から構成された内筒と、を備え、
前記内筒は、その下端が閉止されて前記ごみを収容可能であるとともに、その上端が開放しており、かつ前記ごみを収容してからその上端を閉止することにより前記ごみを密閉可能であり、
前記外筒は、その下端が開放しているとともに、その下部には前記内筒の下部に接合された接合部と前記内筒の下部に接合されていない間隙部とが周方向に沿って交互に形成されており、かつその上端が開放しており、さらにその上端は前記内筒に前記ごみを収容してから前記内筒の上端と一緒にあるいは別々に閉止可能であり、
前記間隙部は、この容器が前記ごみを収容した状態で前記垂直輸送管内に投入されて落下するときに、前記内筒と前記外筒との間に空気を流入させて前記外筒を膨らませ、前記外筒と前記垂直輸送管の内壁との間の間隙を小さくするように形成されていることを特徴とする。
前記接合部は、周方向に沿って一定の間隔で形成されていることが望ましい。
【００１４】
【作用】
請求項１に記載された発明の作用は以下の通りである。外筒と内筒は夫々の下端が互いに接合されているため、両下端の相対的位置関係を変えることなく垂直輸送管内を一体的に落下する。この落下時に、外筒下端の開口から、空気が外筒と内筒との間に流入する。この流入した空気は外筒を筒状に膨らませて、外筒と垂直輸送管の内壁との間の間隙を小さくする。これによって、ごみ容器は、外筒と垂直輸送管の内壁との間隙を流れる空気の抵抗によって減速される。
【００１５】
請求項４に記載された発明の作用は以下の通りである。外筒と内筒は夫々の下部が互いに断続的に接合されているため、両下端の相対的位置関係を変えることなく垂直輸送管内を一体的に落下する。この落下時に、断続的な接合部の間に形成された外筒と内筒との間隙から、空気が外筒と内筒との間に流入する。この流入した空気は外筒を筒状に膨らませて、外筒と垂直輸送管の内壁との間の間隙を小さくする。これによって、ごみ容器は、外筒と垂直輸送管の内壁との間隙を流れる空気の抵抗によって減速される。
【００１６】
以上の請求項１、請求項４に記載された発明とも、ごみ容器に収容されるごみが非円筒状のブロックであっても、または極く少量であっても、落下時に空気流は、確実に空気流入用の間隙や外筒下端の開口や断続的な接合部の間に形成された外筒と内筒との間隙から流入するため、従来のごみ容器では必要とした円板体を不要とすることができる。更に、ごみは密閉された内筒に収容されるので、ごみからの汚水がごみ容器から漏出することはない。
【００１７】
【実施例】
以下、本発明による高層ビルのごみ輸送装置用のごみ容器の実施例を図８乃至図１２と同部分には同一符号を付して示した図１乃至図７を参照して説明する。
【００１８】
図１は本発明の第１の実施例の高層ビルのごみ輸送装置用のごみ容器を示したものである。図１において、ごみ容器１６は、合成樹脂シートのような軟質性円筒状シート材製の外筒１７と、この外筒１７と同径または僅かに小径の合成樹脂シートのような軟質性円筒状シート材製の内筒１８とから構成されている。この外筒１７の口径は図８に示した垂直輸送管２の内径よりも僅かに小径となるように定められている。また、外筒１７は上端が開放され、その下端は一部１７ａが内筒１８の下端に接合され、下端の残部１７ｂが斜めに切断され二つの開口１９が形成されている。これらの開口１９は互いに対向する位置、すなわち外筒１７を円形に拡げた状態で１８０°離れた位置に存在する。内筒１８は上端が開放され、下端が閉止するように接合されている。この接合された内筒１８の下端には、上述のように外筒１７の下端の一部１７ａが接合されている。
【００１９】
これらの外筒１７及び外筒１８は次のようにして作られる。すなわち、図１において一枚の筒状の合成樹脂シート１７０と、この合成樹脂シート１７０と長さが同一で口径が同一かもしくは僅かに小径の一枚の筒状の合成樹脂シート１８０とが夫々用意される。これらの二枚の合成樹脂シート１７０、１８０の各々は上端及び下端が夫々開放されている。合成樹脂シート１７０の内部に合成樹脂シート１８０が挿入される。なお、この合成樹脂シート１８０は、図示のように両側部を折り畳んだ状態で合成樹脂シート１７０内に挿入される。この状態で、合成樹脂シート１７０の下端と合成樹脂シート１８０の下端が熔着され、次いで合成樹脂シート１７０の下端のうち、合成樹脂シート１８０の下端に熔着された部分１７０ａ以外の部分１７０ｂを三角形状に切り取る。これによって、合成樹脂シート１８０は下端が接合されて閉止され、合成樹脂シート１７０は、下端の一部１７０ａが合成樹脂シート１８０の下端に接合にされると共に、一対の開口１９が穿孔される。このようにして、合成樹脂シート１７０及び合成樹脂シート１８０から外筒１７及び内筒１８が作成される。
【００２０】
次に、第１の実施例の作用を説明する。
図２において、大きな非円筒ブロック状のごみ１３は内筒１８内に詰込まれる。この詰込みの後に、外筒１７の上端及び内筒１８の上端が一緒に結束され、この結束によって、内筒１８は完全に密閉される。なお、外筒１７の一対の開口１９は内筒１８に収容されたごみ１３によって下方に大きく開放する。このようにごみ１３を内筒１８に収容したごみ容器１６が、図８に示したごみ投入装置３から垂直輸送管２に投入される。投入されたごみ容器１６は、外筒１７及び内筒１８の上端が一緒に結束され、かつ外筒１７及び内筒１８の下端が互いに接合されているため、両上端及び両下端の相対的位置関係を変えることなく垂直輸送管２内を落下する。この落下中に、空気が矢印で示したように開口１９から外筒１７と内筒１８との間に流入し、この流入した空気は、斜線で示したように外筒１７を丁度落下傘のように外側に膨らませる。なお、一対の開口１９は対向する位置に形成されているため、外筒１７は偏ることなく、円筒状に全周囲が一様に膨張する。
【００２１】
この外筒１７の膨張によって、外筒１７と垂直輸送管２の内壁との間隙の面積が小さくなる。これによって、ごみ容器１６の落下の際に外筒１７と垂直輸送管２の内壁との間隙を下方から上方に流れる空気の絞り効果による抵抗、即ち圧力損失が発生し、この抵抗はごみ容器１６の重量に拮抗し、ごみ容器１６の落下速度を自由落下に比べて十分に減速する。従って、図８に示した空気排出装置６と圧力検出装置７との作用によって、ごみ容器１６は、その重量に関係なく常にほぼ一定の速度で垂直輸送管２内を落下する。
【００２２】
図３は少量のごみ１３を内筒１８内に収容したごみ容器１６が垂直輸送管２内を落下する様子を示したもので、図２の場合と同様に空気が矢印で示したように開口１９から外筒１７と内筒１８との間に流入して、斜線で示したように外筒１７を丁度落下傘のように外側に膨らませる。従って、少量のごみ１３を収容する場合にも、ごみ容器１６は落下速度が自由落下に比べて十分に減速される。ごみ１３を収容する内筒１８は、下端が接合されかつ上端が結束されることによって全体が密閉されているため、ごみ１３が多量の汚水を含有する場合にも、汚水が内筒１８から漏出することはない。
【００２３】
図４は、本発明の第２の実施例を示したものである。
ごみ容器１６は軟質性円筒状シート材製の外筒１７と、この外筒１７と同径または僅かに小径の軟質性円筒状シート材製の内筒１８とから構成されている。この外筒１７の口径は垂直輸送管２の内径よりも僅かに小径となるように定められている。内筒１８は上端が開放され、下端１８ａが溶着によって接合され閉止されている。
【００２４】
また、外筒１７は上端及び下端が共に開放されており、下端から僅かな距離Ｄだけ上方の位置において周方向に沿って断続的に内筒１８に溶着されている。このような断続的な溶着によって、外筒１７は、内筒１８の外周と接合される所定長さの接合部（熔着部）２０が、周方向に沿って一定間隔で形成される。すなわち、図４及び図５に示されたように外筒１７は、周方向に沿って接合部２０と非接合部、即ち間隙部２１とが交互に形成される。もちろん、これらの非接合部２１では、外筒１７と内筒１８との間には間隙が形成されている。
【００２５】
次に、この第２の実施例の作用を説明する。
図６において、大きな非円筒ブロック状のごみ１３が内筒１８内に詰込まれた後に、第１の実施例の場合と同様に外筒１７及び内筒１８の上端が一緒に結束され、この結束によって内筒１８は完全に密閉される。なお、外筒１７の間隙部２１は内筒１８に収容されたごみ１３によって大きく開放する。
【００２６】
このようにごみ１３を内筒１８に収容したごみ容器１６は、図８に示したごみ投入装置３から垂直輸送管２に投入される。投入されたごみ容器１６は、外筒１７及び内筒１８の上端が一緒に結束され、かつ外筒１７及び内筒１８の下部が断続的に接合されているため、両上端及び両下部の相対的位置関係を変えることなく垂直輸送管２内を落下する。この落下によって、空気が間隙部２１から外筒１７と内筒１８との間に流入し、斜線で示したように外筒１７を丁度落下傘のように外側に膨らませる。この時、間隙部２１は外筒１７の全周にわたってほぼ均一に分布しているので、外筒１７は偏ることなく円筒状に全周囲が一様に膨張する。更に、ごみ容器１６の落下の際には、外筒１７の下端部Ｄは捲れ上がるので、空気は外筒１７の下端部Ｄによって邪魔されることなく間隙部２１にスムーズに流入することができる。その他の作用は第１の実施例と同一である。
【００２７】
図７は、比較的少量のごみ１３を内筒１８に収容したごみ容器１６を示したものである。この場合も、空気は確実に間隙部２１から外筒１７と内筒１８との間に流入し、斜線で示したように外筒１７を落下傘のように外側に膨らませる。
【００２８】
以上の実施例では、外筒１７と内筒１８とは、上下の２箇所、即ち上端の結束部と下部の接合部において互いに結合されていた。しかしながら、外筒１７の上端と内筒１８の上端は、必ずしも一緒に結束する必要はなく、夫々別々に結束しても良い。
【００２９】
【発明の効果】
以上の説明から明らかなように本発明によれば、ごみ容器はごみを収容する密閉の内筒と、下部において内筒と部分的に接合された外筒とから構成されるため、垂直輸送管を落下中に空気が外筒と内筒との間の空間に流入し、外筒を外方に膨張させるので、外筒と垂直輸送管との間の間隙が小さくなり、その間の空気抵抗が増大し、ごみ容器の落下速度を減速させることができる。特に、本発明のごみ容器は、外筒の膨張が内筒に収容されるごみの形状やごみの量に無関係に行われるので、従来のごみ容器では必要とされた円板体を必要としない。更に、本発明のごみ容器にあっては、ごみは密閉された内筒に収容されるので、ごみの汚水がごみ容器から漏出することはない。
【図面の簡単な説明】
【図１】  本発明による高層ビルのごみ輸送装置用のごみ容器の第１の実施例を示した正面図。
【図２】  直方体のごみを収容した第１の実施例のごみ容器が垂直輸送管を落下する様子を示した説明図。
【図３】  比較的少量のごみを収容した第１の実施例のごみ容器が垂直輸送管を落下する様子を示した説明図。
【図４】  本発明による高層ビルのごみ輸送装置用のごみ容器の第２の実施例を示した正面図。
【図５】  第２の実施例のごみ容器が垂直輸送管を落下している時の状態を示した横断面図。
【図６】  直方体のごみを収容した第２の実施例のごみ容器が垂直輸送管を落下する様子を示した説明図。
【図７】  比較的少量のごみを収容した第２の実施例のごみ容器が垂直輸送管を落下する様子を示した説明図。
【図８】  従来の高層ビルのごみ輸送装置を示した概略図。
【図９】  従来の高層ビルのごみ輸送装置に使用されるごみ容器搬送カートを示した概略図。
【図１０】  従来のごみ容器が垂直輸送管を落下する様子を示した説明図。
【図１１】  従来のごみ容器が垂直輸送管を落下する様子を示した説明図。
【図１２】  従来のごみ容器が垂直輸送管を落下する様子を示した説明図。
【符号の説明】
１  高層ビル
２  垂直輸送管
１３  ごみ
１６  ごみ容器
１７  外筒
１８  内筒
１９  開口
２０  接合部
２１  非接合部（間隙部）
【図１】
0003693386.tif 000002
【図２】
0003693386.tif 000003
【図３】
0003693386.tif 000004
【図４】
0003693386.tif 000005
【図５】
0003693386.tif 000006
【図６】
0003693386.tif 000007
【図７】
0003693386.tif 000008
【図８】
0003693386.tif 000009
【図９】
0003693386.tif 000010
【図１０】
0003693386.tif 000011
【図１１】
0003693386.tif 000012
【図１２】
0003693386.tif 000013